(57)【要約】  送風装置（１０１）は、互いに対向する２つの辺（６ａ，６ｂ）を有する吹出口（３）を有する送風装置本体（１）と、２つの辺（６ａ，６ｂ）から送風下流側に向かってそれぞれ延在する調整板（４ａ，４ｂ）とを備える。調整板（４ａ，４ｂ）は、送風下流側にいくにつれて互いの間隙が狭くなるように傾斜して配置されている。調整板（４ａ，４ｂ）は、吹出口（３）に接している部分の幅に比べて送風下流側にいくにつれて幅が狭くなっている。
2015053053.tif 000002
【特許請求の範囲】
【請求項１】
互いに対向する２つの辺を有する吹出口を有する送風装置本体と、
前記２つの辺から送風下流側に向かってそれぞれ延在する調整板とを備え、
前記調整板は、送風下流側にいくにつれて互いの間隙が狭くなるように傾斜して配置されており、
前記調整板は、前記吹出口に接している部分の幅に比べて送風下流側にいくにつれて幅が狭くなっている、送風装置。
【請求項２】
前記調整板は、半円形、半楕円形、台形および半多角形のうちから選択されたいずれかの形状を有する、請求項１に記載の送風装置。
【請求項３】
前記調整板は、前記送風装置本体に対して回動またはスライドさせることによって、空気の通り道の最も狭くなった箇所での間隙の大きさを変更可能なように構成されている、請求項１または２に記載の送風装置。
【請求項４】
回転軸方向を向く一方の側に設けられた吸気口から吸い込んだ空気を放射状に送出する多翼ファンを、前記送風装置本体の内部に備え、
前記吹出口は、前記多翼ファンの回転軸方向の寸法を垂直に２等分する中心線の延長上から前記吸込口側にオフセットした直線を中心として配置されている、請求項１から３のいずれかに記載の送風装置。
【請求項５】
アレル物質を無力化するイオンを発生するイオン発生源を備え、
前記吹出口は、前記イオンを含んだ風を、直接床面に吹き付けるように配置されている、請求項１から４のいずれかに記載の送風装置。
【発明の詳細な説明】
【技術分野】
【０００１】
本発明は、送風装置に関するものである。
【背景技術】
【０００２】
従来技術に基づく送風装置の一例が特開２０１１−７５２０１号公報（特許文献１）に記載されている。【０００３】
従来技術に基づく送風装置の他の一例を図２９に示す。図２９では、内部の構造がわかりやすいように筐体の一部を切り欠いている。【０００４】
送風装置９０１は、送風装置本体１を備える。送風装置本体１は吸気口２および吹出口３を有する。送風装置本体１の内部に多翼ファン７が配置されている。吸気口２から取り込まれた空気は、吹出口３から送出される。
【先行技術文献】
【特許文献】
【０００５】
【特許文献１】特開２０１１−７５２０１号公報
【発明の概要】
【発明が解決しようとする課題】
【０００６】
空気浄化作用を有する物質（以下「浄化物質」という。）を空気中に供給する装置は、浄化物質を空気に乗せて送り出すために送風装置を備えているのが一般的である。これらの装置は、浄化物質を室内全体に届けることが求められる。一般的に、これらの空気調和機は室内の一方の壁際に設置され、浄化物質を含んだ風は送風装置の作用により部屋の中央部に向けて放出される。このようにして、室内の空気を循環させることが行なわれる。【０００７】
しかし、１つの吹出口からの風向は吹出方向に集中するので、浄化物質の放出方向は限定される。図３０に示すように、特に吹出口３としての開口領域の中でも中心付近は風速が高く、周縁部は風速が低くなる傾向がある。結果的に、吹出口３の中心線の延長上に高い風速の風が集中的に送出されることになってしまい、この部分の風を受けた人は不快感を感じるという問題があった。【０００８】
そこで、本発明は、簡単な構造で、風向が集中しないように送風することができる送風装置を提供することを目的とする。
【課題を解決するための手段】
【０００９】
上記目的を達成するため、本発明に基づく送風装置は、互いに対向する２つの辺を有する吹出口を有する送風装置本体と、上記２つの辺から送風下流側に向かってそれぞれ延在する調整板とを備え、上記調整板は、送風下流側にいくにつれて互いの間隙が狭くなるように傾斜して配置されており、上記調整板は、上記吹出口に接している部分の幅に比べて送風下流側にいくにつれて幅が狭くなっている。
【発明の効果】
【００１０】
本発明によれば、簡単な構造で、風向が集中しないように送風することができる送風装置を実現することができる。
【図面の簡単な説明】
【００１１】
【図１】本発明に基づく実施の形態１における送風装置の第１の斜視図である。
【図２】本発明に基づく実施の形態１における送風装置の第２の斜視図である。
【図３】本発明に基づく実施の形態１における送風装置の側面図である。
【図４】本発明に基づく実施の形態１における送風装置を吹出口側から見た図である。
【図５】本発明に基づく実施の形態１における送風装置の平面図である。
【図６】本発明に基づく実施の形態１における送風装置の吹出口から出る風の説明図である。
【図７】本発明に基づく実施の形態１における送風装置の調整板近傍の部分平面図である。
【図８】本発明に基づく実施の形態１における送風装置の調整板が回動する場合の説明図である。
【図９】本発明に基づく実施の形態１における送風装置の調整板がスライドする場合の説明図である。
【図１０】本発明に基づく実施の形態１における送風装置の変形例の吹出口近傍の側面図である。
【図１１】本発明に基づく実施の形態１における送風装置の変形例の吹出口近傍の正面図である。
【図１２】本発明に基づく実施の形態１における送風装置の変形例の吹出口近傍の平面図である。
【図１３】本発明に基づく実施の形態１における送風装置の断面図である。
【図１４】本発明に基づく実施の形態１における送風装置の、オフセットがない場合の断面図である。
【図１５】本発明に基づく実施の形態２における送風装置を吸込口側から見た図である。
【図１６】本発明に基づく実施の形態２における送風装置の断面図である。
【図１７】本発明に基づく実施の形態２における送風装置の、オフセットがない場合の断面図である。
【図１８】本発明に基づく実施の形態３における送風装置の断面図である。
【図１９】本発明に基づく実施の形態３における送風装置の断面図である。
【図２０】本発明に基づく実施の形態４における送風装置の説明図である。
【図２１】本発明に基づく実施の形態５における送風装置の第１の説明図である。
【図２２】本発明に基づく実施の形態５における送風装置の第２の説明図である。
【図２３】本発明に基づく実施の形態６における送風装置の説明図である。
【図２４】本発明に基づく実施の形態６における送風装置の第１の変形例の説明図である。
【図２５】本発明に基づく実施の形態６における送風装置の第２の変形例の説明図である。
【図２６】本発明に基づく実施の形態７における送風装置の透視図である。
【図２７】本発明に基づく実施の形態８における送風装置集合体の第１の説明図である。
【図２８】本発明に基づく実施の形態８における送風装置集合体の第２の説明図である。
【図２９】従来技術に基づく送風装置の斜視図である。
【図３０】従来技術に基づく送風装置の吹出口から出る風の説明図である。
【発明を実施するための形態】
【００１２】
（実施の形態１）
図１〜図５を参照して、本発明に基づく実施の形態１における送風装置１０１について説明する。送風装置１０１の全体を図１に示す。送風装置１０１を、図１とは異なる向きから見たところを図２に示す。送風装置１０１は、互いに対向する２つの辺６ａ，６ｂを有する吹出口３を有する送風装置本体１と、２つの辺６ａ，６ｂから送風下流側に向かってそれぞれ延在する調整板４ａ，４ｂとを備える。調整板４ａ，４ｂは、送風下流側にいくにつれて互いの間隙が狭くなるように傾斜して配置されている。調整板４ａ，４ｂは、吹出口３に接している部分の幅に比べて送風下流側にいくにつれて幅が狭くなっている。
【００１３】
送風装置１０１を、吹出口３とは９０°異なる向きから見たところを図３に示す。送風装置１０１を、吹出口３の正面側から見たところを図４に示す。送風装置１０１の平面図を図５に示す。
【００１４】
調整板４ａ，４ｂは半円形となっている。送風装置本体１は、吸気口２を有する。送風装置本体１は風路部１１を備えている。風路部１１は送風装置本体１の一部である。風路部１１の先端に吹出口３が設けられている。
【００１５】
本実施の形態では、吹出口３の互いに対向する２つの辺６ａ，６ｂから調整板４ａ，４ｂがそれぞれ延在しており、調整板４ａ，４ｂは、送風下流側にいくにつれて互いの間隙が狭くなるように傾斜して配置され、かつ、吹出口３に接している部分の幅に比べて送風下流側にいくにつれて幅が狭くなっているので、吹出口３から出た風は、図６に示すように、調整板４ａ，４ｂの影響で広い範囲に広がって放出される。風速に関しても、中心線上が強くなるわけでもなく全体的にほぼ均等な風速となり、好ましい。したがって、本実施の形態によれば、簡単な構造で、風向が集中しないように送風することができる送風装置を実現することができる。
【００１６】
調整板４ａ，４ｂの形状は特に限定されないが、本実施の形態で示したように、半円形、半楕円形、台形および半多角形のうちから選択されたいずれかの形状を有することが好ましい。調整板４ａ，４ｂがこれらの形状を有する構成とすれば、放出される風を広い範囲に向け、なおかつ、各方位にほぼ均等な風速とすることができる。調整板４ａ，４ｂが半多角形である場合の一例を図７に示す。なお、半円形といった場合、正確な半円形のみならず半円形に類似した形状も含む。半楕円形および半多角形についてもそれぞれ同様である。半多角形は、正多角形を半分に切った形状のみならず、正多角形以外の多角形を半分に切った形状をも含む。
【００１７】
調整板４ａ，４ｂは、半円形または半楕円形であることが特に好ましい。
調整板４ａ，４ｂは、送風装置本体１に対して回動またはスライドさせることによって、空気の通り道の最も狭くなった箇所での間隙の大きさを変更可能なように構成されていることが好ましい。調整板４ａ，４ｂが送風装置本体１に対して回動する場合の一例を図８に示す。調整板４ａ，４ｂが送風装置本体１に対してスライドする場合の一例を図９に示す。いずれの場合も調整板を操作することによって、空気の通り道の最も狭くなった箇所での間隙の大きさを変更することができる。これらの構成であれば、送り出される風の状態を自在に調整することができる。
【００１８】
なお、ここまで２枚の調整板の両方が対称に傾斜している構成を例示したが、調整板の配置はこれに限らない。たとえば２枚の調整板が異なる角度でそれぞれ傾斜している構成であってもよい。さらに、２枚の調整板のうちの一方のみが傾斜しており、他方は傾斜せずまっすぐ延在している構成も考えられる。一例を図１０〜図１２に示す。図１０〜図１２はいずれも吹出口近傍のみを示したものであるが、図１０は側面図、図１１は正面図、図１２は平面図である。
【００１９】
なお、本実施の形態においては、図１３に示すように、回転軸方向を向く一方の側に設けられた吸気口２から吸い込んだ空気を放射状に送出する多翼ファン７を、送風装置本体１の内部に備え、吹出口３は、多翼ファン７の回転軸方向の寸法を垂直に２等分する中心線８１の延長上から吸込口２側にオフセットした直線である中心線８２を中心として配置されていることが好ましい。このように吹出口３がオフセットして配置されていることは、図３、図４からも読み取ることができる。図１３に示すように、回転軸方向を向く一方の側に設けられた吸気口２から吸い込んだ空気を放射状に送出する多翼ファン７においては、複数の矢印９２で示すように、吸込口２に近い側が風速が強くなる傾向がある場合がある。複数の矢印９２においては矢印の長さが風速の大きさを相対的に表す。たとえこのように風速分布に偏りがある場合であっても、本実施の形態のように吹出口３がオフセットして配置されていれば、複数の矢印９３に示すように風速の分布がほぼ均一になる。こうして、複数の矢印９３で示される風が調整板４ａ，４ｂの間を通り抜けることによって、矢印９４に示すように正しく中心線８２の延長上を進んでいく風となる。
【００２０】
なお、オフセットのない構成であった場合についても説明しておく。以下の説明は、本発明にとってオフセットありとすることが必須であると主張するものではなく、オフセットがない場合に生じ得る不都合について説明するものである。このような不都合は必ず生じるとは限らず、もし生じた場合には、本実施の形態で説明したオフセットの構成により、良好に対処することができる。オフセットがない場合、図１４に示すようになる。すなわち、多翼ファン７を出た直後の風は複数の矢印９２に示されるように吸込口２に近い側が風速が強くなる傾向がある。この風がそのまま中心線８１に平行に流路内を吹出口３まで進行するので、調整板４ａ，４ｂの間を通り抜ける際には、図１４において矢印９５に示すように、調整板４ｂ側の風速成分が弱く、調整板４ａ側の風速成分が強くなり、結果的に、放出された風は矢印９６に示すように斜めに進んでいくこととなる。すなわち、中心線８１から外れた向きに放出されることとなる。しかし、本実施の形態のようにオフセットしておくことにより、図１３に示したように放出される風の向きの正確さを改善することができる。
【００２１】
複数の矢印９２で示される風速差が十分に均一化される程度に風路部１１を長く設計できるほどスペースに余裕があれば必ずしもオフセットする必要はない場合もある。しかし、通常、商品を設計する際にはコンパクト化が重要である。上述のようにオフセットすることによって、風路部１１を長くせずとも放出される風の向きを中心線８１に近づけることができるので、コンパクトな設計に対応可能となる。
【００２２】
（実施の形態２）
図１５〜図１６を参照して、本発明に基づく実施の形態２における送風装置１０２について説明する。送風装置１０２を吸込口２の側から見たところを図１５に示す。これとは９０°異なる向きから見た断面図を図１６に示す。送風装置１０２は、実施の形態１で示した送風装置１０１と比べて、基本的な構成は共通するが、吹出口３の長手方向が９０°異なっている。送風装置１０２は、吹出口３に調整板４ａ，４ｂの代わりに調整板４ｃ，４ｄを備えている。
【００２３】
本実施の形態においては、図１６に示すように、回転軸方向を向く一方の側に設けられた吸気口２から吸い込んだ空気を放射状に送出する多翼ファン７を、送風装置本体１の内部に備え、吹出口３は、多翼ファン７の回転軸方向の寸法を垂直に２等分する中心線８１の延長上から吸込口２側にオフセットした直線である中心線８２を中心として配置されている。
【００２４】
実施の形態１で説明したのと同様に、多翼ファン７から出た直後の風には、複数の矢印９２に示すように風速分布の偏りがある傾向がある場合がある。すなわち、この例では、吸込口２に近い側が風速が強くなる傾向がある。しかし、たとえこのように多翼ファン７から出た直後に風速分布に偏りがある場合であっても、本実施の形態では、上述のように吹出口３がオフセットして配置されているので、複数の矢印９３ｉに示すように風速の分布がほぼ均一になる。こうして、複数の矢印９３ｉで示される風が調整板４ｃ，４ｄの間を通り抜けることによって、矢印９４ｉに示すように放射状に均等に風を排出することができる。
【００２５】
なお、オフセットのない構成であった場合についても説明しておく。以下の説明は、オフセットありとすることが必須であると主張するものではなく、オフセットがない場合に生じ得る不都合について説明するものである。このような不都合は必ず生じるとは限らず、もし生じた場合には、本実施の形態で説明したオフセットの構成により、良好に対処することができる。オフセットがない場合、図１７に示すようになる。すなわち、多翼ファン７を出た直後の風は複数の矢印９２に示されるように吸込口２に近い側が風速が強くなる傾向がある。この風がそのまま中心線８１に沿って風路部１１の幅の変化に合わせてやや広がりながら進行するので、吹出口３の直前では矢印９５ｉに示すようになる。すなわち、吹出口３のうち吸込口２側では風速が高く、吸込口２とは反対側では風速が低くなった状態となる。この状態で調整板４ｃ，４ｄの間を通り抜けることによって、排出される風は矢印９６ｉのように不均一なものとなる。しかし、本実施の形態のようにオフセットしておくことにより、図１６に示したように放出される風を均一なものとすることができる。
【００２６】
（実施の形態３）
図１８〜図１９を参照して、本発明に基づく実施の形態３における送風装置について説明する。
【００２７】
実施の形態１で説明した送風装置１０１において吹出口３の調整板４ａ，４ｂから放射状に排出される風の均一さに注目した場合、図１８に示すように不均一となる場合がある。風路部１１と多翼ファン７との位置関係から、風路部１１内で風速が高い部分と低い部分とが生じうる。
【００２８】
図１９に示すように、風路部１１の吹出口３付近の多翼ファン７に近い側の側壁に可動板２１を設けることが考えられる。可動板２１は外側からカム２２で押すことによって角度を変えることができる。カム２２はモータ２３によって移動することができる。
【００２９】
この構成によって、図１９に示すように、吹出口３のうち多翼ファン７に近い側の風を可動板２１でカットした場合、吹出口３のうち多翼ファン７から遠い側の風だけが残って放出されていく。
【００３０】
（実施の形態４）
図２０を参照して、本発明に基づく実施の形態４における送風装置について説明する。
【００３１】
実施の形態３で説明した送風装置とは逆に、図２０に示すように、風路部１１の吹出口３付近の多翼ファン７から遠い側の側壁に可動板２１を設けることが考えられる。可動板２１、カム２２、モータ２３の関係については上述したとおりである。
【００３２】
この構成によって、図２０に示すように、吹出口３のうち多翼ファン７から遠い側の風を可動板２１でカットした場合、吹出口３のうち多翼ファン７に近い側の風だけが残って放出されていく。
【００３３】
ここまで説明してきた送風装置と浄化物質の発生源とを組み合わせれば、浄化物質を所望の空間内に送り届けることができる。浄化物質はたとえばイオンであってもよい。以下では、浄化物質の一例としてイオンを供給するための送風装置について説明する。なお、イオン以外の浄化物質を供給するに当たっても本発明は適用可能である。
【００３４】
（実施の形態５）
図２１を参照し、実施の形態１で説明した送風装置１０１において風路部１１の途中にイオン発生放電針２５を配置した場合について考える。イオン発生放電針２５は両側の側壁付近に配置される。図２１に示すように、風路部１１と多翼ファン７との位置関係から、風路部１１内で風速が高い部分と低い部分とが生じうる。イオン発生放電針２５は対称に配置されており、同等に機能している。ここで、吹出口３の外で調整板４ａ，４ｂによって放射状に排出される風に注目すると、向きによってイオン濃度の差が生じている。吹出口３のうち多翼ファン７から遠い側にはイオン濃度の高い風が送り出され、吹出口３のうち多翼ファン７に近い側にはイオン濃度の低い風が送り出されている。
【００３５】
図２２を参照して、本発明に基づく実施の形態５における送風装置１０５について説明する。送風装置１０５においては、送風装置本体１の風路部１１の内部に流路分割部材２６が配置されている。流路分割部材２６は、風路部１１の内部空間を狭い方と広い方とに分割するように配置されている。これによって、狭い方の領域３１においては、外側を進行し、風速が高く風量が少ない流れが形成される。広い方の領域３２においては、内側を進行し、風速が低く風量が多い流れが形成される。広い方の領域３２はその後進行するにつれて間隙が狭くなっているので、広い方の領域３２においても風速の高い風が形成される。こうして、どちらの領域においても同様に風速の高い風がイオン発生放電針２５を通過することとなる。その結果、吹出口３の調整板４ａ，４ｂから放射状に排出される風は均一なものとなる。
【００３６】
なお、実施の形態３〜５に関連して、想定しうる発明を整理して以下に付記として示す。
【００３７】
（付記１−１）
吹出口近傍に吹出口から出ようとする風の流路の開口面積の調整機構を備える、送風装置。
【００３８】
（付記１−２）
前記調整機構は、開口面積の幅を調整する可動板を含む、付記１−１に記載の送風装置。
【００３９】
（付記１−３）
前記可動板はカムの変位によって姿勢を変えることができる、付記１−２に記載の送風装置。
【００４０】
（付記１−４）
前記カムはモータによって変位することができる、付記１−３に記載の送風装置。
【００４１】
なお、実施の形態３，４では、カム２２をモータ２３で直接変位させているが、カムとモータとの間にギア、リンクなどを適宜介してモータからカムに動力を伝達するように構成してもよい。
【００４２】
（付記１−５）
風速が高い側と風速が低い側とを有するような風を発生する風発生源と、前記風発生源から吹出口に至る風路部とを備え、前記風路部の途中には風の流路を２つに分割する分割部材が配置されており、前記分割部材は、風速が高い側が狭く風速が低い側が広くなるように流路を分割し、分割された各々の流路にイオン発生放電針が配置されている、送風装置。
【００４３】
（付記１−６）
前記分割部材は風の上流側が尖った三角形の部材である、付記１−５に記載の送風装置。
【００４４】
（実施の形態６）
ダニアレル物質であるダニの死骸や糞は粉塵化し、空中を浮遊し、やがて室内の床に堆積する。絨毯、畳などのように凹凸のある床面にはダニそのものも多く生息している。そのような床面は、ダニアレル物質の温床となっている。
【００４５】
従来技術では、床面に近い下側から空気を吸い込み、吸込口または内部に設置されている集塵装置でダニアレル物質を除去し、上側に吹き出す構成となっているか、天井付近から吹き下ろす構成となっているかがほとんどであった。絨毯や畳の目に入り込んだダニアレル物質は、人が歩いたりすると簡単に宙に舞ってしまう。にもかかわらず、空気を吸い込むことによってダニアレル物質を集塵する構造の装置の場合、舞い上がったダニアレル物質を集塵することはできても、絨毯の内部や畳の目に堆積したダニアレル物質までは集塵することはできなかった。
【００４６】
一方、ダニアレル物質に触れることによりアレル作用を無力化することができるイオンが存在する。本発明に基づく実施の形態６における送風装置は、このようなイオンを吹き出すことができる送風装置であり、床面に直接イオン風を吹き付けることによって、床面に潜むダニアレル物質を無力化させる。
【００４７】
図２３〜図２５を参照して、本発明に基づく実施の形態６における送風装置について説明する。送風装置複合体１０６は１つの筐体１０の内部にこれまでの実施の形態で説明してきた送風装置の２台分に相当する構成を備えている。送風装置複合体１０６は２つの吹出口３を備えている。一方の吹出口３は縦長に開口し、室内の上部に向けてイオン風を送るものであり、他方の吹出口３は横長に開口し、床面に向けてイオン風を送るものである。実施の形態６における送風装置は、送風装置複合体１０６に備えられた２台の送風装置のうちの１台である。本実施の形態における送風装置は、基本的には、実施の形態１〜５のいずれかで説明した送風装置の構成を備えており、送風装置本体１の内部にイオン発生装置を備える。通常は、風路部１１の内部にイオン発生装置を備える。
【００４８】
図２３に示すように、本実施の形態における送風装置は、アレル物質を無力化するイオンを発生するイオン発生源を備え、吹出口３は、前記イオンを含んだ風を、直接床面に吹き付けるように配置されている。
【００４９】
本実施の形態では、イオンを含んだ風をこのように床面に直接吹き付けることができるので、床面に潜むダニアレル物質を効率良く無力化させることができる。
【００５０】
図２４に示すように、床面に向けて風を送る吹出口３においては、調整板によって送出の向きを制御できるように構成されていてもよい。この調整板はモータなどによって自動的に姿勢を変更できるようになっていてもよい。
【００５１】
図２５に示すように、床面に向けて風を送る吹出口３においては、板状のルーバーによって風向を制御する構成となっていてもよい。
【００５２】
なお、実施の形態６に関連して、想定しうる発明を整理して以下に付記として示す。
（付記２−１）
アレル物質を無力化するイオンを発生するイオン発生源を備え、縦長に開口して斜め上方に向けられた第１の吹出口と、横長に開口して床面に向けられた第２の吹出口とを有する、送風装置複合体。
【００５３】
（付記２−２）
前記第２の吹出口は、調整板またはルーバーによって、風を送り出す向きを調整可能である、付記２−１に記載の送風装置。
【００５４】
（実施の形態７）
図２６を参照して、本発明に基づく実施の形態７における送風装置について説明する。この送風装置は、実施の形態１で説明した１台の送風装置１０１を筐体１０に収めたものである。送風装置１０１の吹出口３近傍のみが筐体１０の開口部から露出している。調整板４ａ，４ｂは筐体１０の開口部から突出していてもよい。
【００５５】
このような構成とすることによって、本発明に基づく送風装置は、室内に設置して使用するに適した構成となりうる。
【００５６】
（実施の形態８）
図２７〜図２８を参照して、本発明に基づく実施の形態８における送風装置集合体１０８について説明する。図２７は、送風装置１０８から風が送り出される様子を側方から見た図である。図２８は、送風装置集合体１０８から風が送り出される様子を上方から見た図である。
【００５７】
送風装置集合体１０８は、実施の形態１〜５で説明してきた送風装置の複数台分に相当する構成を備えている。送風装置集合体１０８は、複数台の送風装置を上下方向に積み重ねた構成となっている。送風装置１０８に含まれる各送風装置からは調整板の作用により水平方向に扁平に広がる扇形に空気が送り出される。したがって、図２７および図２８に示すように、各吹出口から風が送り出され、扇形の扁平な風が複数組み合わさることによって、室内空間の全体にわたって風を送り込むことができる。送風装置集合体１０８にイオン発生源を備えてイオン風を送り出すこととした場合には、室内空間の全体にわたってイオンを均一に供給することができる。
【００５８】
なお、上記実施の形態のうち複数を適宜組み合わせて採用してもよい。
なお、実施の形態８に関連して、想定しうる発明を整理して以下に付記として示す。
【００５９】
（付記３−１）
筐体と、前記筐体内に積み重ねるように収められた第１から第ｎの送風装置とを備える、送風装置。
【００６０】
（付記３−２）
前記第１から第ｎの送風装置は扁平に放射状に風を送り出すことができ、前記第１から第ｎの送風装置はそれぞれ異なる高さにおいて水平方向に広がるように送風できるように配置されている。
【００６１】
なお、今回開示した上記実施の形態はすべての点で例示であって制限的なものではない。本発明の範囲は上記した説明ではなくて請求の範囲によって示され、請求の範囲と均等の意味および範囲内でのすべての変更を含むものである。
【符号の説明】
【００６２】
１  送風装置本体、２  吸気口、３  吹出口、４ａ，４ｂ，４ｃ，４ｄ  調整板、６ａ，６ｂ  辺、７  多翼ファン、１０  筐体、１１  風路部、２１  可動板、２２  カム、２３  モータ、２５  イオン発生放電針、２６  流路分割部材、３１，３２  領域、８１，８２  中心線、９０  送風下流側、９２，９３  複数の矢印、９４  矢印、９５，９５ｉ，９６，９６ｉ  矢印、１０１，１０２，１０５  送風装置、１０６，１０８  送風装置複合体、９０１  （従来技術に基づく）送風装置。
【図１】
2015053053.tif 000003
【図２】
2015053053.tif 000004
【図３】
2015053053.tif 000005
【図４】
2015053053.tif 000006
【図５】
2015053053.tif 000007
【図６】
2015053053.tif 000008
【図７】
2015053053.tif 000009
【図８】
2015053053.tif 000010
【図９】
2015053053.tif 000011
【図１０】
2015053053.tif 000012
【図１１】
2015053053.tif 000013
【図１２】
2015053053.tif 000014
【図１３】
2015053053.tif 000015
【図１４】
2015053053.tif 000016
【図１５】
2015053053.tif 000017
【図１６】
2015053053.tif 000018
【図１７】
2015053053.tif 000019
【図１８】
2015053053.tif 000020
【図１９】
2015053053.tif 000021
【図２０】
2015053053.tif 000022
【図２１】
2015053053.tif 000023
【図２２】
2015053053.tif 000024
【図２３】
2015053053.tif 000025
【図２４】
2015053053.tif 000026
【図２５】
2015053053.tif 000027
【図２６】
2015053053.tif 000028
【図２７】
2015053053.tif 000029
【図２８】
2015053053.tif 000030
【図２９】
2015053053.tif 000031
【図３０】
2015053053.tif 000032
【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
互いに対向する２つの辺を有する吹出口を有する送風装置本体と、
前記２つの辺から送風下流側に向かってそれぞれ延在する調整板とを備え、
前記調整板は、送風下流側にいくにつれて互いの間隙が狭くなるように傾斜して配置されており、
前記調整板は、前記吹出口に接している部分の幅に比べて送風下流側にいくにつれて幅が狭くなっており、
前記調整板は、半円形の形状を有する、送風装置。
【請求項２】
前記調整板は、前記送風装置本体に対して回動またはスライドさせることによって、空気の通り道の最も狭くなった箇所での間隙の大きさを変更可能なように構成されている、請求項１に記載の送風装置。
【請求項３】
回転軸方向を向く一方の側に設けられた吸気口から吸い込んだ空気を放射状に送出する多翼ファンを、前記送風装置本体の内部に備え、
前記吹出口は、前記多翼ファンの回転軸方向の寸法を垂直に２等分する中心線の延長上から前記吸込口側にオフセットした直線を中心として配置されている、請求項１または２に記載の送風装置。
【請求項４】
アレル物質を無力化するイオンを発生するイオン発生源を備え、
前記吹出口は、前記イオンを含んだ風を、直接床面に吹き付けるように配置されている、請求項１から３のいずれかに記載の送風装置。
【国際調査報告】
2015053053.tif 000033
2015053053.tif 000034
2015053053.tif 000035
2015053053.tif 000036